(57)【要約】【課題】友人等と会話を楽しみながら遊技を行うことができ、遊技者の遊技意欲や満足度を高めることができ、さらには、従来の遊技機島よりも耐震強度を向上させ、遊技場における安全性を高めることができる遊技機島を提供する。【解決手段】遊技機島１０は、遊技機１２を設置可能な遊技機台１４を備える。また、遊技機台１４は、平面視において円弧状に複数配置され、かつ、遊技機１２を遊技機島１０の内方に向けて設置可能に構成されている。【選択図】図１
2018175791.tif 000002
【特許請求の範囲】
【請求項１】
遊技機を設置可能な遊技機台を備えた遊技機島であって、
前記遊技機台は、平面視において円弧状に複数配置され、かつ、前記遊技機を前記遊技機島の内方に向けて設置可能に構成されている、
ことを特徴とする遊技機島。
【請求項２】
前記遊技機台に前記遊技機を設置した状態において、各々の前記遊技機の基点から前方に延ばした垂線が同一線上に位置しないように構成されている、
ことを特徴とする請求項１に記載の遊技機島。
【請求項３】
全ての前記垂線が一点で交差するように構成されている、
ことを特徴とする請求項２に記載の遊技機島。
【請求項４】
回転可能な座面を有する椅子を備え、
前記椅子は、前記遊技機台の各々に対応して該遊技機台の前方に一脚ずつ設置され、
前記座面は、対応する前記遊技機台の正面に対して１８０度反対向きに回転可能に構成されている、
ことを特徴とする請求項１〜３のいずれか一項に記載の遊技機島。
【請求項５】
遊技媒体を収容可能な遊技媒体収容手段を備え、
前記遊技媒体収容手段は、前記椅子の後方に配置されている、
ことを特徴とする請求項４に記載の遊技機島。
【請求項６】
前記遊技機が設置されない台間ユニットを備え、
前記遊技機台と前記台間ユニットが交互に配置されている、
ことを特徴とする請求項１〜５のいずれか一項に記載の遊技機島。
【請求項７】
前記遊技機台と前記台間ユニットが同一構造である、
ことを特徴とする請求項６に記載の遊技機島。
【請求項８】
遊技媒体を一時的に貯留するタンクと、
前記タンクに貯留された遊技媒体を前記遊技機に供給する補給樋と、
少なくとも前記遊技機から排出された遊技媒体を回収する回収通路と、
前記回収通路によって集められた遊技媒体を前記タンクへ揚送する補給リフタと、
を備えた揚送装置を用いて遊技媒体の補給を行うとともに、
少なくとも前記タンクおよび前記補給リフタを、他の遊技機島と共用するように構成されている、
ことを特徴とする請求項１〜７のいずれか一項に記載の遊技機島。
【発明の詳細な説明】
【技術分野】
【０００１】
本発明は、パチンコ店等の遊技場に設置される遊技機島に関する。
【背景技術】
【０００２】
従来、パチンコ店等の遊技場には、複数台の遊技機で構成された遊技機島が設置されている。このような従来公知の遊技機島としては、パチンコ台が対向して配置された正六面体のパチンコ島（例えば、特許文献１参照）や、仕切構造体によって島通路が密閉空間とされた遊技機設置島（例えば、特許文献２参照）等が提案されている。
【先行技術文献】
【特許文献】
【０００３】
【特許文献１】特開平６−５４９５９号公報
【特許文献２】特開２０１６−２２０３７号公報
【発明の概要】
【発明が解決しようとする課題】
【０００４】
ところで、友人等と一緒に複数人で遊技場に来た場合には、同じ遊技機島の隣接する遊技機を確保し、互いに会話を楽しみながら遊技を行うことも多い。しかしながら、従来の遊技機島では、隣接する遊技機で遊技を行う遊技者同士は、コミュニケーションを取り易いものの、同伴者が３人以上いる場合には、遊技者同士の距離が遠くなってしまうため、コミュニケーションが取り難く、遊技者の利便性や満足度が低下してしまう恐れがあった。
【０００５】
本発明は、このような従来の問題点を解決するためになされたものであって、友人等と会話を楽しみながら遊技を行うことができ、遊技者の遊技意欲や満足度を高めることができ、さらには、従来の遊技機島よりも耐震強度を向上させ、遊技場における安全性を高めることができる遊技機島を提供することを目的とする。
【課題を解決するための手段】
【０００６】
本発明に係る遊技機島は、遊技機を設置可能な遊技機台を備えた遊技機島であって、前記遊技機台は、平面視において円弧状に複数配置され、かつ、前記遊技機を前記遊技機島の内方に向けて設置可能に構成されている、ことを特徴とする遊技機島である。
【発明の効果】
【０００７】
本発明に係る遊技機島は、友人等と会話を楽しみながら遊技を行うことができ、遊技者の遊技意欲や満足度を高めることができ、さらには、従来の遊技機島よりも耐震強度を向上させ、遊技場における安全性を高めることができるという優れた効果を奏し得る。
【図面の簡単な説明】
【０００８】
【図１】本実施形態に係る遊技機島１０の平面図である。
【図２】同遊技機島１０の一部を示す外観斜視図である。
【図３】（ａ）遊技機島１０の配置の一例を示した平面図である。（ｂ）揚送装置３０の側断面図である。
【発明を実施するための形態】
【０００９】
以下、図面を用いて、本発明の実施形態に係る遊技機島について詳細に説明する。
【００１０】
＜全体構成＞
最初に、図１と図２を用いて、本発明の実施形態に係る遊技機島１０の全体構成について説明する。図１は、本実施形態に係る遊技機島１０の平面図であり、図２は、同遊技機島１０の一部を示す外観斜視図である。
【００１１】
本実施形態に係る遊技機島１０は、遊技機１２が設置可能な複数の遊技機台１４と、これらの遊技機台１４の間に設置される複数の台間ユニット１６と、回転可能な座面を有する複数の椅子１８と、遊技機台１４や台間ユニット１６の外側を覆うように円弧状に立設される化粧板２０と、この化粧板の２０の両端部に設置される妻板２２と、を有して構成されている。
【００１２】
本例では、図１に示すように、遊技機台１４と台間ユニット１６は、平面視において円弧状に交互に配置されている。このような構成とすることで、遊技機台１４を平面視において円弧状に複数配置した場合であっても、台間ユニット１６によって、隣り合う遊技者同士の間隔を適度に確保することができるとともに、遊技機台１４の隣に台間ユニット１６を配置することで、遊技者の利便性を向上させることができ、遊技者の満足度を高めることができる。
【００１３】
また、遊技機島１０では、図１に示すように、遊技機台１４の正面側の一辺と、隣接する台間ユニット１６の正面側の一辺がなす角度（外角）θを３６°に設定しており、平面視において正十角形の一部を構成している。
【００１４】
なお、本発明に係る「遊技機島」は、本例で示す形状や構造等に限定されず、遊技機を設置可能な遊技機台を備え、遊技機台が、平面視において円弧状に複数配置され、かつ、遊技機を遊技機島の内方に向けて設置可能に構成されていればよい。
【００１５】
したがって、例えば、必ずしも遊技機台１４と台間ユニット１６を交互に配置する必要はなく、遊技機台１４だけで遊技機島を構成してもよい。また、平面視の形状は、正十角形に限定されず、正十二角形等の他の正偶数角形でもよいし、正十一角形等の正奇数角形でもよいし、正多角形でなくてもよい。また、遊技機台や台間ユニットの数は本例に限定されないことは言うまでもない。また、遊技機台１４と台間ユニット１６を同一構造とすれば（あるいは、少なくとも一部を共用化すれば）、遊技機島１０の部材を削減することができ、低コスト化を実現できるとともに、遊技機島１０のレイアウト変更が容易になる。
【００１６】
＜遊技機台＞
遊技機台１４は、遊技機１２や貸出機１３（メダルや遊技球等の遊技媒体の貸し出しを行う機械）等が載置可能な平板形状の載置板（天板）１４ａと、分煙ボード１４ｂと、液晶表示装置等が設置可能な角筒形状の多機能間柱１４ｃと、を有して構成された箱状のユニットである。この遊技機台１４に載置される遊技機１２の種類は、特に限定されないが、弾球遊技機（パチンコ機）、回胴遊技機（スロットマシン）、封入式遊技機、メダルレススロットマシン等が一例として挙げられる。なお、図１，図２においては、一例として、回胴遊技機（スロットマシン）を載置板（天板）１４ａに設置した例を示している。
【００１７】
図１に示すように、遊技機台１４は、平面視において円弧状に複数（本例では、４つ）配置され、遊技機１２を遊技機島１０の内方に向けて設置可能に構成されている。また、遊技機１２を遊技機台１４に設置した状態において、各々の遊技機１２の基点（例えば、盤面の中心点）から前方に延ばした垂線ＨＬが、同一線上に位置せず、かつ、全ての垂線ＨＬが、一点Ｐで交差するように構成されている。
【００１８】
なお、本発明に係る「遊技機台」は、本例で示す形状や構造等に限定されず、平面視において円弧状に複数配置され、かつ、遊技機を遊技機島の内方に向けて固定可能に構成されていればよい。したがって、例えば、複数の遊技機１２を設置した状態において、遊技機の基点から前方に延ばした垂線が同一線上に位置する遊技機が含まれていてもよいし、全ての垂線が一点で交わらなくてもよい。
【００１９】
また、本発明に係る「垂線」の基点は、盤面の中心点に限定されず、同じ遊技機島に設置される全ての遊技機において共通の基点であればよい。したがって、例えば、盤面の四隅のいずれかであってもよいし、盤面の上下左右のいずれかの中心点であってもよいし、盤面以外の部位であってもよい。
【００２０】
＜台間ユニット＞
台間ユニット１６は、物が載置可能な平板形状の物置板１６ａと、物を収容することが可能な内側空間を有する収容部１６ｂと、を有して構成された箱状のユニットである。物置板１６ａの用途は、特に限定されないが、遊技者が、荷物、飲食物、収容箱（ドル箱）等を一時的に置いたり、灰皿やドリンクホルダ等を設置したりすることができる。収容部１６ｂの用途も、特に限定されないが、テレビやモニター等を設置したり、遊技機１２の宣伝広告のためのパネルを展示したり、遊技を盛り上げるための装飾を施したり、遊技者の上着や荷物等を収容するための簡易ロッカーとして利用したりすることができる。
【００２１】
＜椅子＞
椅子１８は、遊技機台１４の各々に対応して遊技機台１４の前方に一脚ずつ設置される。椅子１８の構造は、特に限定されないが、本例の椅子１８の座面は、対応する遊技機台１２の正面に対して１８０度反対向き（垂線ＨＬが延びる方向）に回転可能に構成されている。
【００２２】
なお、遊技媒体を収容可能な遊技媒体収容手段（図示省略。例えば、ドル箱）を備え、この遊技媒体収容手段が、椅子１８の後方に配置されていれば、獲得した遊技媒体を、遊技の妨げにならない場所に置くことができるため、遊技者の利便性を高めることができるともに、獲得した遊技媒体が一箇所（一点Ｐの近傍）に集まるため、他の遊技者の状況が把握しやすく、会話が生まれやすく、遊技者に楽しみを与えることができる。
【００２３】
＜揚送装置＞
次に、図３を用いて、遊技機島１０に設置可能な揚送装置３０について説明する。図３（ａ）は、遊技機島１０の配置の一例を示した平面図であり、同図（ｂ）は、揚送装置３０の側断面図である。
【００２４】
図３（ａ）に示すように、本例では、３つの遊技機島１０を対向配置し、その中央に、１つの揚送装置３０を配設している。揚送装置３０は、図３（ｂ）に示すように、遊技媒体を一時的に貯留するタンク３２と、このタンク３２に貯留された遊技媒体を各遊技機１２に供給する補給樋３４と、各遊技機１２から排出された遊技媒体を回収する回収通路３６と、この回収通路３６によって集められた遊技媒体をタンク３２へ揚送する補給リフタ３８と、を備える。
【００２５】
補給樋３４は、例えば、筒状の部材からなり、タンク３２から補給樋３４に排出された遊技媒体は、補給樋３４上を自重によって遊技機島１０の中央部から遊技機島１０の左右両側に向かって転動し、補給樋３４と各遊技機１２とを接続する補給シュート（図示省略）を介して各遊技機１２に供給されるように構成される。なお、遊技媒体の補給方法は、本例に限定されず、遊技機１２毎に補給装置（各台補給装置）を設けてもよい。
【００２６】
回収通路３６は、例えば、筒状の部材からなり、各遊技機１２や計数装置（図示省略。本例では、遊技機島１０の妻板２２近傍に設けられる島端計数機）から回収通路３６に排出された遊技媒体は、回収通路３６上を自重によって遊技機島１０の左右両側から遊技機島１０の中央部に向かって転動し、遊技機島１０の中央部に設置された揚送装置３０に到達するように構成される。なお、計数装置は、本例に限定されず、遊技機１２毎に設けられる各台計数機を適用してもよい。
【００２７】
補給リフタ３８は、モータ等を駆動源として、ベルトやスクリューによって、下方の遊技媒体をタンク３２へ揚送する装置である。なお、補給リフタ３８は、遊技媒体を揚送しながら遊技媒体を研磨あるいは洗浄する機能を備えていてもよい。
【００２８】
これらの３つの遊技機島１０では、共用化された１つのタンク３２および補給リフタ３８と、各々の遊技機島１０毎に設置された補給樋３４および回収通路３６等によって遊技媒体の循環経路が形成され、遊技媒体を過不足なく各遊技機１２へ補給するように構成されている。このような構成とすれば、遊技用設備の一部を共用化することができるため、遊技場において省スペース化を図ることができる上に、遊技用設備の投資費用やランニングコストを低減することができる。
【００２９】
＜本願発明＞
以上説明したように、本実施形態に係る遊技機島（例えば、図１に示す遊技機島１０）は、遊技機（例えば、図１に示す遊技機１２）を設置可能な遊技機台（例えば、図１に示す遊技機台１４）を備えた遊技機島であって、前記遊技機台は、平面視において円弧状に複数配置され、かつ、前記遊技機を前記遊技機島の内方に向けて設置可能に構成されている、ことを特徴とする遊技機島である。
【００３０】
本実施形態に係る遊技機島によれば、同伴者が３人以上いる場合であっても遊技者同士の間隔を近くすることができるため、互いに会話を楽しみながら遊技を行うことができ、遊技者同士で一体感が生まれ、遊技者の遊技意欲や満足度を高めることができる。また、遊技機を横一列に並べた従来の遊技機島に比べ、各遊技機の盤面等が見やすく、同時に観察することができる遊技機の台数が多いため、友人等の遊技中の様子を把握することができ、遊技者同士の会話が弾む。また、遊技機を横一列に並べた従来の遊技機島に比べ、遊技機島の耐震強度が向上するため、遊技場における安全性を高めることができる。
【００３１】
また、前記遊技機台に前記遊技機を設置した状態において、各々の前記遊技機の基点（例えば、盤面の中心点）から前方に延ばした垂線が同一線上に位置しないように構成されていてもよい。
【００３２】
このような構成とすれば、遊技者が振り返った場合に後方の遊技機の盤面等が真正面に位置することが無く、他の遊技者によって視界が妨げられることが少ないため、他の遊技者の遊技中の様子が観察しやすくなるとともに、他の遊技者とコミュニケーションを図ることができ、遊技意欲を高めることができる。
また、全ての前記垂線が一点で交差するように構成されていてもよい。
【００３３】
このような構成とすれば、遊技者が振り返った場合に、一点を中心として向かい合うことになるため、さらにコミュニケーションを図ることが容易となり、遊技意欲を高めることができる。
【００３４】
また、回転可能な座面を有する椅子（例えば、図１に示す椅子１８）を備え、前記椅子は、前記遊技機台の各々に対応して該遊技機台の前方に一脚ずつ設置され、前記座面は、対応する前記遊技機台の正面に対して１８０度反対向きに回転可能に構成されていてもよい。
【００３５】
このような構成とすれば、他の遊技者の遊技中の様子が観察しやすくなるとともに、他の遊技者とコミュニケーションを図ることができ、遊技意欲を高めることができる。
【００３６】
また、遊技媒体を収容可能な遊技媒体収容手段（例えば、ドル箱）を備え、前記遊技媒体収容手段は、前記椅子の後方に配置されていてもよい。
【００３７】
このような構成とすれば、獲得した遊技媒体を、遊技の妨げにならない場所に置くことができるため、遊技者の利便性を高めることができるともに、獲得した遊技媒体が近い場所に集まるため、他の遊技者の状況が把握しやすく、会話が生まれやすく、遊技者に楽しみを与えることができる。
【００３８】
また、前記遊技機が設置されない台間ユニット（例えば、図１に示す台間ユニット１６）を備え、前記遊技機台と前記台間ユニットが交互に配置されていてもよい。
【００３９】
このような構成とすれば、遊技機台を平面視において円弧状に複数配置した場合であっても、台間ユニットによって、隣り合う遊技者同士の間隔を適度に確保することができるとともに、台間ユニットの利用によって遊技者の利便性を向上させることができ、遊技者の満足度を高めることができる。
また、前記遊技機台と前記台間ユニットが同一構造であってもよい。
【００４０】
このような構成とすれば、遊技機島の部材を削減することができ、低コスト化を実現できるとともに、遊技機島のレイアウト変更が容易になる。
【００４１】
また、遊技媒体を一時的に貯留するタンク（例えば、図３（ｂ）に示すタンク３２）と、前記タンクに貯留された遊技媒体を前記遊技機に供給する補給樋（例えば、図３（ｂ）に示す補給樋３４）と、少なくとも前記遊技機から排出された遊技媒体を回収する回収通路（例えば、図３（ｂ）に示す回収通路）と、前記回収通路によって集められた遊技媒体を前記タンクへ揚送する補給リフタ（例えば、図３（ｂ）に示す補給リフタ３８）と、備えた揚送装置（例えば、図３（ａ），（ｂ）に示す揚送装置３０）を用いて遊技媒体の補給を行うとともに、少なくとも前記タンクおよび前記補給リフタを、他の遊技機島と共用するように構成されていてもよい。
【００４２】
このような構成とすれば、遊技用設備の一部を共用化することができるため、遊技場において省スペース化を図ることができる上に、遊技用設備の投資費用やランニングコストを低減することができる。
【００４３】
また、遊技機島において島一斉演出（１つの遊技機島に設置された複数の遊技機、または、遊技に対応して設置された表示機（ランプ等を備えていても良い）において関連して行われる表示や出音）を行うように構成すれば、演出によっても同伴者等の連帯感を高めることができ、遊技者の遊技意欲をさらに高めることができる。
【００４４】
なお、本発明に係る遊技機島の構成は、上記実施形態に係る遊技機島１０の構成に限定されるものではない。したがって、例えば、本発明に係る遊技機は、弾球遊技機（パチンコ機）に限定されず、回胴遊技機（スロットマシン）、封入式遊技機、メダルレススロットマシン等であってもよいし、これらの複数種類の遊技機が混在していてもよい。また、本発明に係る回収通路は、遊技機から排出された遊技媒体に加えて、計数装置から排出された遊技媒体等を回収するものであってもよい。また、遊技機島間で共用する遊技用設備は、タンクと補給リフタに限定されず、計数装置等の他の遊技用設備を共用化してもよい。
【００４５】
また、本発明の実施形態に記載された作用および効果は、本発明から生じる最も好適な作用および効果を列挙したに過ぎず、本発明による作用および効果は、本発明の実施形態に記載されたものに限定されるものではない。また、本発明の実施形態に記載した複数の構成のうち、１つの構成に記載している内容を、他の構成に適用することで、より一層、効果を高めることができる場合がある。
【産業上の利用可能性】
【００４６】
本発明に係る遊技機島は、弾球遊技機（パチンコ機）、回胴遊技機（スロットマシン）、封入式遊技機あるいはメダルレススロットマシンの遊技機島などに適用することができる。
【符号の説明】
【００４７】
ＨＬ  垂線
１０  遊技機島
１２  遊技機
１４  遊技機台
１４ａ  載置板
１４ｂ  分煙ボード
１４ｃ  多機能間柱
１６  台間ユニット
１６ａ  物置板
１８  椅子
２０  化粧板
２２  妻板
３０  揚送装置
３２  タンク
３４  補給樋
３６  回収通路
３８  補給リフタ
【図１】
2018175791.tif 000003
【図２】
2018175791.tif 000004
【図３】
2018175791.tif 000005